(57)【要約】【課題】可動側シャーシを固定側シャーシ内に押し込む方向に押す外力が加わった場合に、可動側シャーシを移動させるピン等の係止部の破損を抑制できる堅牢なローディング機構を備えた磁気記録再生装置を提供する。【解決手段】メインシャーシ１と、メインシャーシ１に対して略平行に開閉するスライドシャーシ２と、メインシャーシ１と係合するピン７ａが設けられたメインギア７とを備え、メインギア７の回転に連動してメインシャーシ１を移動するローディング機構を備えた磁気記録再生装置３０であって、メインギア７に連動して回転するサブギア８を備え、サブギア８の面上にメインシャーシ１と当接可能なピン８ａを備え、ピン８ａをスライドシャーシ２の開放状態でスライドシャーシ２の当接部とピン８ａとの間に僅かに隙間を有する位置に設けるものとする。【選択図】          図１
2004326883.tif 000002
【特許請求の範囲】
【請求項１】
固定側シャーシと、該固定側シャーシに対して略平行に開閉するように移動可能な可動側シャーシと、該可動側シャーシと係合する係止部が設けられたメインギアとを備え、該メインギアの回転に連動して可動側シャーシを移動するローディング機構を備えた磁気記録再生装置であって、
前記メインギアに連動して回転するサブギアを備えるとともに、前記サブギアの面上に前記可動側シャーシの一部と当接可能なピン体を備え、
前記ピン体は、可動側シャーシの開放状態で、ピン体と当接する可動側シャーシの当接部とピン体との間に僅かに隙間を有する位置に設けられたことを特徴とする磁気記録再生装置。
【請求項２】
固定側シャーシと、該固定側シャーシに対して略平行に開閉するように移動可能な可動側シャーシと、該可動側シャーシと係合する係止部が設けられたメインギアとを備え、該メインギアの回転に連動して可動側シャーシを移動するローディング機構を備えた磁気記録再生装置であって、
前記メインギアによりカム駆動されるセグメントギアと、前記セグメントギアに連動して回転するローディングギアと、前記ローディングギア上に固定されて連動するローディングアームとを備えるとともに、前記ローディングアーム上に可動側シャーシの一部と当接可能なピン体を備え、
前記ピン体は、可動側シャーシの開放状態で、ピン体と当接する可動側シャーシの当接部とピン体との間に僅かに隙間を有する位置に設けられたことを特徴とする磁気記録再生装置。
【発明の詳細な説明】
【０００１】
【発明の属する技術分野】
本発明は、ビデオテープレコーダ等の磁気記録再生装置に関し、特に、カセットテープ等が搭載される可動側シャーシを移動可能なローディング機構を備えた磁気記録再生装置に関するものである。
【０００２】
【従来の技術】
従来の磁気記録再生装置のローディング機構について、カメラ一体型ビデオ等に備えられる磁気記録再生装置を例に挙げて説明する。
従来の磁気記録再生装置のローディング機構は、図７、図８に示すように、主に、メインシャーシ１、スライドシャーシ２、ローディングモータ３、ウォームプーリ３ａ、ウォーム軸４、ウォームホイール５、中継ギア６、メインギア７、サブギア８、モードスイッチ９等を備えてなるものである。
【０００３】
前記メインシャーシ１は、図中の一平面側が開口した矩形状の箱体を呈し、その開口した一平面側にスライドシャーシ２が配設されている。メインシャーシ１の両側縁付近には、前記スライドシャーシ２に対向してガイド軸１ａ、１ｂ、１ｃ、１ｄが突設されている。
【０００４】
前記スライドシャーシ２の両側縁付近には、該スライドシャーシ２の移動方向を規制するガイド溝２ａ、２ｂ、２ｃ、２ｄが開口形成されており、これにより、スライドシャーシ２がメインシャーシ１の一側面１ｆ側より出没可能に移動動作がガイドされる。
【０００５】
駆動源としてのローディングモータ３は、メインシャーシ１内でスライドシャーシ２の反動作側の一隅に配置され、その回転軸に設けられたウォームプーリ３ａからウォーム軸４のウォーム４ａからウォーム４ｂを介してウォームホイール５を回転させ、該ウォームホイール５と同軸上に一体的に設けられて回転するギア５ａ、および中継ギア６を介してメインギア７を回転させるものである。
【０００６】
前記メインギア７の上面には、スライドシャーシ２に対向してピン７ａが突設されている。前記ピン７ａは、スライドシャーシ２に設けられたカム穴２ｅに挿入されており、ローディングモータ３の駆動によりメインギア７が回転することで、該ピン７ａの変位に伴いカム穴２ｅの内周縁に沿ってスライドシャーシ２が移動するようにされている。
【０００７】
また、前記メインギア７の上面には、円弧状にカム溝７ｂが形成され、図８に示すように、該カム溝７ｂにセグメントギア１０の裏面に突設されたピン１０ａが挿入されている。
【０００８】
メインギア７が回転することで、メインシャーシ１上の支持軸１ｅを中心にセグメントギア１０が回動し、更に供給側ローディングギア１１および巻取り側ローディングギア１３が回転する。そして、それぞれのギアに固定されたリンク構造を有する供給側ローディングアーム１２および巻取り側ローディングアーム１４がそれぞれ回動して、それらの先端に取付けられた供給側ポールベース１７および巻取り側ポールベース１８が、それぞれ供給側レール１５または巻取り側レール１６上をローディングするようにされている。
【０００９】
前記供給側ローディングアーム１２および巻取り側ローディングアーム１４は、それぞれ主アーム１２ａ、１４ａと副アーム１２ｂ、１４ｂとによりそれぞれリンク機構が構成されている。
【００１０】
また、メインギア７と並設してサブギア８とモードスイッチ９とが配設されている。これにより、ローディング時の各モード位置は、サブギア８を介してメインギア７の回転情報をモードスイッチ９に伝達して検出するようにされている。
図中の符号２０はドラムであって、メインシャーシ１の他側１ｇよりにドラムベース１９を介して取付けられている。
【００１１】
【特許文献１】
特開平８−１８０６６５号公報（第１−５頁、図１）
【００１２】
【発明が解決しようとする課題】
しかしながら、カメラ一体型ビデオ２００においては、図９のように磁気テープを取出した状態で装置セット２０１を落下させたり、物にぶつけて矢印Ｃ方向に大きな荷重が掛かったりした場合、メインギアのピンが破損し易いという問題があった。
【００１３】
本発明は、上記従来の問題点に鑑みてなされたものであり、可動側シャーシを固定側シャーシ内に押し込む方向（ドラム方向）に押す外力が加わった場合に、可動側シャーシを移動させるピン等の係止部の破損を抑制できる堅牢なローディング機構を備えた磁気記録再生装置を提供することを目的とするものである。
【００１４】
【課題を解決するための手段】
本発明は、固定側シャーシと、該固定側シャーシに対して略平行に開閉するように移動可能な可動側シャーシと、該可動側シャーシと係合する係止部が設けられたメインギアとを備え、該メインギアの回転に連動して可動側シャーシを移動するローディング機構を備えた磁気記録再生装置であって、前記メインギアに連動して回転するサブギアを備えるとともに、前記サブギアの面上に前記可動側シャーシの一部と当接可能なピン体を備え、前記ピン体を、可動側シャーシの開放状態で、該ピン体と当接する可動側シャーシの当接部とピン体との間に僅かに隙間を有する位置に設けたことを特徴とするものである。
【００１５】
このように構成することで、可動側シャーシを固定側シャーシ内に押し込む方向（ドラム方向）に押す外力が加わった場合に、メインギアの係止部（例えば、ピン等）が変形し始めて可動側シャーシが僅かに動くと、可動側シャーシがサブギアに追加したピン体に接触するので、メインギア上の係止部の破損に対する耐荷重を上げることができ、係止部の破損を抑制して堅牢な磁気記録再生装置を実現できる。
【００１６】
また、本発明は、固定側シャーシと、該固定側シャーシに対して略平行に開閉するように移動可能な可動側シャーシと、該可動側シャーシと係合する係止部が設けられたメインギアとを備え、該メインギアの回転に連動して可動側シャーシを移動するローディング機構を備えた磁気記録再生装置であって、前記メインギアによりカム駆動されるセグメントギアと、前記セグメントギアに連動して回転するローディングギアと、前記ローディングギア上に固定されて連動するローディングアームとを備えるとともに、前記ローディングアーム上に可動側シャーシの一部と当接可能なピン体を備え、前記ピン体を、可動側シャーシの開放状態で、ピン体と当接する可動側シャーシの当接部とピン体との間に僅かに隙間を有する位置に設けたことを特徴とするものである。
【００１７】
このように構成することで、可動側シャーシを固定側シャーシ内に押し込む方向（ドラム方向）に押す外力が加わった場合に、メインギアの係止部（例えば、ピン等）が変形し始めて可動側シャーシが僅かに動くと、可動側シャーシがローディングアームに追加したピン体に接触し、メインギア上の係止部の破損に対する耐荷重を上げることができ、係止部の破損を抑制して堅牢な磁気記録再生装置を実現できる。
【００１８】
【発明の実施の形態】
以下、本発明の実施の形態について図面を参照して詳細に説明する。
（第１の実施形態）
図１〜図３は発明を実施する形態の一例であって、図１は本発明に係る第１の実施形態の磁気記録再生装置におけるローディング機構の主要構成を示す説明図、図２の（ａ）は図１のＡ部の詳細を示す部分詳細図、（ｂ）は（ａ）のＢ矢視図、図３は前記ローディング機構の動作状態を示す説明図である。
基本的な装置構成は前述した従来の磁気記録再生装置と同様であり、図中、同一の符号を付した部分は同一物を表わすものとする。
【００１９】
第１の実施形態は、図１に示すように、主に、固定側シャーシであるメインシャーシ１、可動側シャーシであるスライドシャーシ２、ローディングモータ３、ウォームプーリ３ａ、ウォーム軸４、ウォームホイール５、中継ギア６、メインギア７、サブギア８、およびモードスイッチ９を備えた磁気記録再生装置３０である。
【００２０】
前記メインシャーシ１は、図中の一平面側が開口した矩形状の箱体を呈し、その開口した一平面側にスライドシャーシ２が配設されている。メインシャーシ１の両側縁付近には、前記スライドシャーシ２に対向してガイド軸１ａ、１ｂ、１ｃ、１ｄが突設されている。
【００２１】
前記スライドシャーシ２は、後述するメインギア７に設けられたピン７ａが挿入されるカム穴２ｅが形成され、前記ピン７ａの変位に伴い該カム穴２ｅの内周縁に沿って該スライドシャーシ２が移動するように構成されている。
また、前記スライドシャーシ２は、両側縁付近に該スライドシャーシ２の移動方向を規制するガイド溝２ａ、２ｂ、２ｃ、２ｄがガイド軸１ａ、１ｂ、１ｃ、１ｄと対向する位置に開口形成されており、これにより、スライドシャーシ２がメインシャーシ１の一側面１ｆ側より出没可能に移動動作がガイドされる。
【００２２】
前記スライドシャーシ２のサブギア８上部付近には、図２の（ａ）、（ｂ）に示すように、サブギア８の中心線８ｃ上に位置する端縁を突出させ、且つ下方へ折り曲げて当接壁２ｆが形成されている。
サブギア８の上面には、磁気テープ取出しモード位置において、前記当接壁２ｆと対向し且つ僅か離れた位置にピン８ａが設けられている。
【００２３】
駆動源としてのローディングモータ３は、メインシャーシ１内でスライドシャーシ２の反動作側の一隅に配置され、その回転軸にウォームプーリ３ａが設けられている。前記ローディングモータ３に近接してウォーム軸４が配置されている。
【００２４】
前記ウォーム軸４は、その一端部にはウォームプーリ３ａと噛み合うウォーム４ａが一体的に設けられ、他端部には近接して配置されるウォームホイール５と噛み合うウォーム４ｂが一体的に設けられている。
前記ウォームホイール５は、同軸上に一体的にギア５ａが設けられ、該ギア５ａと噛み合う中継ギア６を介してメインギア７に駆動を伝達する。
【００２５】
前記メインギア７は、その上面にスライドシャーシ２に対向してピン７ａが突設されている。前記ピン７ａは、スライドシャーシ２に設けられたカム穴２ｅに挿入されており、ローディングモータ３の駆動によりメインギア７が回転することで、該ピン７ａの変位に伴いカム穴２ｅの内周縁に沿ってスライドシャーシ２が移動するようにされている。
【００２６】
また、前記メインギア７の上面には、従来技術に示すように（図７を参照）、円弧状にカム溝７ｂが形成され、該カム溝７ｂにセグメントギア１０の裏面に突設されたピン１０ａが挿入されている。
前記メインギア７と並設してサブギア８とモードスイッチ９とが配設されている。これにより、ローディング時の各モード位置は、サブギア８を介してメインギア７の回転情報をモードスイッチ９に伝達して検出するようにされている。
【００２７】
次に、本実施形態の磁気記録再生装置３０の作用について説明する。
メインシャーシ１よりスライドシャーシ２をローディングする場合、図１に示すように、ローディングモータ３を駆動してメインギア７を時計回り方向に回転させる。
このメインギア７の回転にともないスライドシャーシ２のカム穴２ｅに係合されたピン７ａが図中の下方に移動して、該スライドシャーシ２を下方に移動させる。
【００２８】
このとき、スライドシャーシ２の開放状態で、サブギア８上のピン８ａは、図２の（ａ）、（ｂ）に示すように、スライドシャーシ２の当接壁２ｆに対向し且つ僅かに隙間を有する位置に配置される。
【００２９】
ここで、スライドシャーシ２の移動について詳述すると、図３に示すように、メインギア７がカム穴２ｅにとって角度αだけ回転したところでスライドシャーシ２が動き始める。この時、サブギア８も角度βだけ回転するため、サブギア８上のピン８ａも同様に回転してピン８ａ’の位置に移動する。
【００３０】
前記ピン８ａは、図２（ｂ）に示すように、ピン高さをスライドシャーシ２の裏面までの間隙よりも低く設けているので、スライドシャーシ２の当接壁２ｆと接触することはなく移動できるとともにスライドシャーシの下側を通過することができるので、ローディング時も支障をきたすことがない。
【００３１】
図７に示すように（従来図を参照）、メインギア７の回転により、メインシャーシ１上の支持軸１ｅを中心にセグメントギア１０が回動して供給側ローディングギア１１および巻取り側ローディングギア１３が回転する。
【００３２】
そして、供給側ローディングギア１１および巻取り側ローディングギア１３に固定されたリンク構造を有する供給側ローディングアーム１２および巻取り側ローディングアーム１４がそれぞれ回動して、それらの先端に取付けられた供給側ポールベース１７および巻取り側ポールベース１８がそれぞれ供給側レール１５または巻取り側レール１６上をローディングする。
【００３３】
以上のように構成したので、本実施形態の磁気記録再生装置３０によれば、スライドシャーシ２をメインシャーシ１内に押し込む方向（ドラム方向）に押す外力が加わった場合に、メインギア７の係止部たるピン７ａが変形し始めてスライドシャーシ２が僅かに動くと、スライドシャーシ２がサブギア８に設けられたピン８ａに接触して、該ピン８ａがスライドシャーシ２からの荷重を受けることができるので、メインギア７上のピン７ａの破損に対する耐荷重を上げることができ、ピン７ａの破損を抑制することができる。
【００３４】
なお、本実施形態では、スライドシャーシ２に当接壁２ｆを一体的に曲げ加工により形成しているが、サブギア８に設けられるピン８ａが当接するものであれば、これに限定されるものではなく、例えば、別体で構成した当接体を一体的に設けるものであっても良い。
【００３５】
次に、本発明の第２の実施形態について図面を参照して説明する。
（第２の実施形態）
図４〜図６は発明の第２の実施形態であって、図４は本発明に係る第２の実施形態の磁気記録再生装置におけるローディング機構の主要構成を示す説明図、図５の（ａ）は図４のＣ部の詳細を示す部分詳細図、（ｂ）は（ａ）のＤ矢視図、図６は前記ローディング機構の動作状態を示す説明図である。
基本的な装置構成は前述した従来技術および第１の実施形態に示す磁気記録再生装置と同様であり、図中、同一の符号を付した部分は同一物を表わすものとする。
【００３６】
第２の実施形態は、図４に示すように、主に、固定側シャーシであるメインシャーシ１、スライドシャーシ２、ローディングモータ３、ウォームプーリ３ａ、ウォーム軸４、ウォームホイール５、中継ギア６、メインギア７、サブギア８、モードスイッチ９、供給側ローディングアーム１２、巻取り側ローディングアーム１４およびドラム２０を備えた磁気記録再生装置１３０である。
【００３７】
前記メインシャーシ１は、図中の一平面側が開口した矩形状の箱体を呈し、その開口した一平面側にスライドシャーシ２が配設されている。メインシャーシ１の両側縁付近には、前記スライドシャーシ２に対向してガイド軸１ａ、１ｂ、１ｃ、１ｄが突設されている。
【００３８】
前記スライドシャーシ２は、メインギア７に設けられたピン７ａが挿入されるカム穴２ｅが形成され、前記ピン７ａの変位に伴い該カム穴２ｅの内周縁に沿って該スライドシャーシ２が移動するように構成されている。
また、前記スライドシャーシ２は、両側縁付近に該スライドシャーシ２の移動方向を規制するガイド溝２ａ、２ｂ、２ｃ、２ｄがガイド軸１ａ、１ｂ、１ｃ、１ｄと対向する位置に開口形成されており、これにより、スライドシャーシ２がメインシャーシ１の一側面１ｆ側より出没可能に移動動作がガイドされる。
【００３９】
駆動源としてのローディングモータ３は、メインシャーシ１内でスライドシャーシ２の反動作側の一隅に配置され、その回転軸にウォームプーリ３ａが設けられている。前記ローディングモータ３に近接してウォーム軸４が配置されている。
【００４０】
前記ウォーム軸４は、その一端部にはウォームプーリ３ａと噛み合うウォーム４ａが一体的に設けられ、他端部には近接して配置されるウォームホイール５と噛み合うウォーム４ｂが一体的に設けられている。
前記ウォームホイール５は、同軸上に一体的にギア５ａが設けられ、該ギア５ａと噛み合う中継ギア６を介してメインギア７に駆動を伝達する。
【００４１】
前記メインギア７は、その上面にスライドシャーシ２に対向してピン７ａが突設されている。前記ピン７ａは、スライドシャーシ２に設けられたカム穴２ｅに挿入されており、ローディングモータ３の駆動によりメインギア７が回転することで、該ピン７ａの変位に伴いカム穴２ｅの内周縁に沿ってスライドシャーシ２が移動するようにされている。
【００４２】
また、前記メインギア７の上面には、従来技術に示すように、円弧状にカム溝７ｂが形成され、該カム溝７ｂにセグメントギア１０の裏面に突設されたピン１０ａが挿入されている。
前記メインギア７と並設してサブギア８とモードスイッチ９とが配設されている。これにより、ローディング時の各モード位置は、サブギア８を介してメインギア７の回転情報をモードスイッチ９に伝達して検出するようにされている。
【００４３】
メインシャーシ１上のメインギア７、モードスイッチ９およびドラム２０の間の空間に、供給側ローディングギア１１および巻取り側ローディングギア１３が支持軸１ｈ、１ｉにより回転可能に軸支されている。
前記供給側ローディングギア１１および巻取り側ローディングギア１３には、それぞれ供給側ローディングアーム１２および巻取り側ローディングアーム１４が一体的に設けられている。
【００４４】
供給側ローディングアーム１２は、供給側ローディングギア１１に一体的に設けられた主アーム１２ａと、その主アーム１２ａの自由端側を支点として揺動可能に支持された副アーム１２ｂとによりリンク機構が構成されている。
【００４５】
また、巻取り側ローディングアーム１４は、前述した供給側ローディングアーム１２のリンク機構と略対称な形状で構成され、巻取り側ローディングギア１３に一体的に設けられた主アーム１４ａと、その主アーム１４ａの自由端側を支点として揺動可能に支持された副アーム１４ｂとによりリンク機構が構成されている。
【００４６】
供給側の副アーム１２ｂの自由端側には、供給側ポールベース１７が取付けられ、巻取り側の副アーム１４ｂの自由端側には、巻取り側ポールベース１８が取付けられている。
供給側の副アーム１２ｂ上には、磁気テープ取出しモード位置において、スライドシャーシ２の前縁２ｇの一部と対向し且つ僅か離れた位置にピン１２ｃが設けられている。
【００４７】
前記供給側ポールベース１７および巻取り側ポールベース１８は、ドラム２０を挟んで両側に支持された供給側レール１５および巻取り側レール１６上をそれぞれローディングするようになっている。
【００４８】
次に、本実施形態の磁気記録再生装置１３０の作用について説明する。
メインシャーシ１よりスライドシャーシ２をローディングする場合、図４に示すように、ローディングモータ３を駆動してメインギア７を時計回り方向に回転させる。
このメインギア７の回転にともないスライドシャーシ２のカム穴２ｅに係合されたピン７ａが図中の下方に移動して、該スライドシャーシ２を下方に移動させる。
【００４９】
このとき、スライドシャーシ２の開放状態で、供給側の副アーム１２ｂ上のピン１２ｃは、スライドシャーシ２の前縁２ｇの一部に対向し且つ僅かに隙間を有する位置に配置される。
【００５０】
図４、図６に示すように、メインギア７の回転により、メインシャーシ１上の支持軸１ｅを中心にセグメントギア１０が回動して供給側ローディングギア１１および巻取り側ローディングギア１３が回転する。
【００５１】
そして、供給側ローディングギア１１および巻取り側ローディングギア１３に固定されたリンク構造を有する供給側ローディングアーム１２および巻取り側ローディングアーム１４がそれぞれ回動して、それらの先端に取付けられた供給側ポールベース１７および巻取り側ポールベース１８がそれぞれ供給側レール１５または巻取り側レール１６上をローディングする。
【００５２】
スライドシャーシ２が動く場合は、図４に示すように供給側ローディングアーム１２の副アーム１２ｂが先に動き始めるために、副アーム１２ｂに設けられたピン１２ｃはスライドシャーシ２の前縁２ｇに接触する事はない。
【００５３】
以上のように構成したので、本実施形態の磁気記録再生装置１３０によれば、スライドシャーシ２をメインシャーシ１内に押し込む方向（ドラム方向）に押す外力が加わった場合に、メインギア７の係止部たるピン７ａが変形し始めてスライドシャーシ２が僅かに動くと、スライドシャーシ２が供給側の副アーム１２ｂ上のピン１２ｃに接触して、該ピン１２ｃがスライドシャーシ２からの荷重を受けることができるので、メインギア７上のピン７ａの破損に対する耐荷重を上げることができ、ピン７ａの破損を抑制することができる。
【００５４】
なお、本実施形態では、供給側の副アーム１２ｂ上にピン１２ｃを設けているが、本発明はこれに限定されるものではなく、例えば、巻取り側の副アーム１４ｂ上にピンを設けるようにしたものであっても良い。
【００５５】
また、本発明の磁気記録再生装置は、上述の図示例にのみ限定されるものではなく、本発明の要旨を逸脱しない範囲内において種々変更を加え得ることは勿論である。
【００５６】
【発明の効果】
以上、説明したように本発明の磁気記録再生装置によれば、可動側シャーシを固定側シャーシ内に押し込む方向（ドラム方向）に押す外力が加わった場合に、可動側シャーシを移動させるピン等の係止部の破損を抑制できる堅牢なローディング機構を実現できるという優れた効果を奏し得る。
詳しくは、本発明によれば、装置本体を構成する固定側シャーシと、該固定側シャーシに対して略平行に開閉するように移動可能な可動側シャーシと、該可動側シャーシと係合する係止部たるピン体が設けられたメインギアとを備え、該メインギアの回転に連動して可動側シャーシを移動するローディング機構を備えた磁気記録再生装置であって、前記メインギアに連動して回転するサブギアを備えるとともに、前記サブギアの面上に前記可動側シャーシの一部と当接可能なピン体を備え、前記ピン体を、可動側シャーシの開放状態で、該ピン体と当接する可動側シャーシの当接部とピン体との間に僅かに隙間を有する位置に設けることで、可動側シャーシを固定側シャーシ内に押し込む方向（ドラム方向）に押す不用意に外力が加わった場合に、メインギアのピン体が変形し始めて可動側シャーシが僅かに動くと、可動側シャーシがサブギアに追加したピン体に接触するので、メインギアのピン体とともにサブギアのピン体が可動側シャーシの荷重を受けることができるので、メインギア上のピン体の破損に対する耐荷重を上げることができ、ピン体の破損を抑制して堅牢な磁気記録再生装置を実現できる。
【００５７】
また、本発明は、装置本体を構成する固定側シャーシと、該固定側シャーシに対して略平行に開閉するように移動可能な可動側シャーシと、該可動側シャーシと係合する係止部たるピン体が設けられたメインギアとを備え、該メインギアの回転に連動して可動側シャーシを移動するローディング機構を備えた磁気記録再生装置であって、前記メインギアによりカム駆動されるセグメントギアと、前記セグメントギアに連動して回転するローディングギアと、前記ローディングギア上に固定されて連動するローディングアームとを備えるとともに、前記ローディングアーム上に可動側シャーシの一部と当接可能なピン体を備え、前記ピン体を、可動側シャーシの開放状態で、ピン体と当接する可動側シャーシの当接部とピン体との間に僅かに隙間を有する位置に設けることで、可動側シャーシを固定側シャーシ内に押し込む方向（ドラム方向）に押す外力が不用意に加わった場合に、メインギアのピン体が変形し始めて可動側シャーシが僅かに動くと、可動側シャーシがローディングアームに追加したピン体に接触し、該ピン体が可動側シャーシからの荷重を受けることができるので、メインギア上のピン体の破損に対する耐荷重を上げることができ、ピン体の破損を抑制して堅牢な磁気記録再生装置を実現できるという優れた効果を奏し得る。
【図面の簡単な説明】
【図１】本発明に係る第１の実施形態の磁気記録再生装置におけるローディング機構の主要構成を示す説明図である。
【図２】（ａ）は図１のＡ部の詳細を示す部分詳細図、（ｂ）は（ａ）のＢ矢視図である。
【図３】前記ローディング機構の動作状態を示す説明図である。
【図４】本発明に係る第２の実施形態の磁気記録再生装置におけるローディング機構の主要構成を示す説明図である。
【図５】（ａ）は図４のＣ部の詳細を示す部分詳細図、（ｂ）は（ａ）のＤ矢視図である。
【図６】前記ローディング機構の動作状態を示す説明図である。
【図７】従来の磁気記録再生装置のローディング機構の構成を示す説明図である。
【図８】前記ローディング機構の構成を示す組立て図である。
【図９】従来の磁気記録再生装置の全体構成を示す斜視図である。
【符号の説明】
１  メインシャーシ
２  スライドシャーシ
２ｅ  カム穴
２ｇ  前縁
２ｆ  当接壁
７  メインギア
７ａ  ピン
７ｂ  カム溝
８  サブギア
８ａ  ピン
９  モードスイッチ
１１  供給側ローディングギア
１２  供給側ローディングアーム
１２ａ  主アーム
１２ｂ  副アーム
１２ｃ  ピン
１３  巻取り側ローディングギア
１４  巻取り側ローディングアーム
１４ａ  主アーム
１４ｂ  副アーム
２０  ドラム
３０、１３０  磁気記録再生装置
２００  カメラ一体型ビデオ
【図１】
2004326883.tif 000003
【図２】
2004326883.tif 000004
【図３】
2004326883.tif 000005
【図４】
2004326883.tif 000006
【図５】
2004326883.tif 000007
【図６】
2004326883.tif 000008
【図７】
2004326883.tif 000009
【図８】
2004326883.tif 000010
【図９】
2004326883.tif 000011